(57)【特許請求の範囲】
【請求項１】
回転ドラムに担持された感材をスパイラル状に走査して画像を記録する画像出力装置において、
上記回転ドラムに担持された感材にパンチ穴を穿孔するパンチ機構と、
このパンチ機構を上記回転ドラムの回転軸線方向に沿って移動させるためのパンチ機構移動手段と、
上記感材に記録される画像の傾斜角に応じて複数のパンチ穴が矩形の画像出力領域の一辺に平行に配列されて上記感材に穿孔されるように上記パンチ機構移動手段を制御することによって、上記パンチ機構が感材に穿孔するパンチ穴の上記回転ドラムの軸線方向に関する位置を制御する穿孔位置制御手段とを含むことを特徴とする画像出力装置。
【請求項２】
感材に記録すべき画像の解像度情報を入力する解像度入力手段をさらに含み、
上記穿孔位置制御手段は、上記解像度入力手段から入力された解像度情報に基づいて、上記パンチ穴の上記回転ドラムの回転軸線方向に関する位置を制御するものであることを特徴とする請求項１記載の画像出力装置。
【請求項３】
回転ドラムに担持された感材をスパイラル状に走査して当該感材に画像を記録する画像出力装置において、
上記回転ドラムに担持された感材に記録すべき画像の解像度情報を入力する解像度入力手段と、
この解像度入力手段から入力された解像度情報に応じた速度で上記回転ドラムの軸線方向に沿って連続的に移動しつつ、画像データに基づいて変調された複数本の記録ビーム光を並行して上記感材に向けて発生することにより、当該感材上において、上記回転ドラムの軸線方向に対して傾斜した状態の矩形の画像出力領域に画像を記録する記録ヘッドと、
上記感材にパンチ穴を穿孔するパンチ機構と、
上記解像度入力手段から入力された解像度情報に基づいて、上記感材に記録される画像の傾斜角に応じて複数のパンチ穴が上記矩形の画像出力領域の一辺に平行に配列されて上記感材に穿孔されるような穿孔位置に上記パンチ穴が形成されるように上記パンチ機構を制御する穿孔位置制御手段とを含むことを特徴とする画像出力装置。
【発明の詳細な説明】
【０００１】
【発明の属する技術分野】
本発明は、たとえば、印刷原版を作成するために用いられるフィルム状の感材に画像を記録出力する画像出力装置に関する。
【０００２】
【従来の技術】
従来から、フィルム状の感材を発光ダイオードからの光で露光することによって画像を記録するようにした画像出力装置が用いられている。画像が記録された感材は、適切な現像プロセスを経て印刷原版となる。
この種の画像出力装置の１つの構成例においては、軸線まわりに回転される円筒状の回転ドラムと、この回転ドラムの軸線方向に沿って移動可能に設けられ、回転ドラムの外面に向けて露光用の光を発生する記録ヘッドとが備えられている。画像を記録すべき感材は、回転ドラムの外周面に巻き付けられて担持される。この感材は、回転ドラムが高速回転されることによって記録ヘッドからの光による主走査を受け、記録ヘッドが回転ドラムの軸線方向に沿って低速に移動することによって記録ヘッドからの光による副走査を受ける。したがって、記録ヘッドが発生する光を画像データで変調しておけば、感材の表面には、画像データに対応した潜像が書き込まれることになる。
【０００３】
感材に対する記録を行うための露光の方式には、ステップ露光方式とスパイラル露光方式とがある。ステップ露光方式では、感材が一周するごとに記録ヘッドが所定ライン分副走査方向に送られる。これにより、感材の表面には副走査方向と直交する走査線によって画像が記録されていくことになる。一方、スパイラル露光方式では、記録ヘッドは連続的に副走査方向に移動される。そのため、回転ドラムの表面の感材は、スパイラル状に走査されることになる。したがって、走査線は、副走査方向に直交する方向に対して傾斜した状態となる。
【０００４】
特に、複数のビームを用いて複数ラインの描画を並行して行うマルチビーム式の記録ヘッドを用いる場合には、記録ヘッドの移動速度が大きいので、傾斜角が無視できないほど大きくなる場合がある。
図６(a) は、スパイラル露光方式による画像の記録例をやや誇張して示す図解図である。長方形の感材１の表面には、副走査方向に直交する方向に対して傾斜した複数のライン２によって、画像が記録されている。この傾斜したライン２による描画では、長方形の図形が平行四辺形として記録されてしまう。
【０００５】
そこで、従来から、図６(b) に示すように、各ライン２上の画像の記録タイミングをずらすことにより、長方形の図形を長方形として感材上に記録するための歪み補正処理が行われている。
感材１には、印刷時や焼き付け時の位置合わせのために、パンチ穴３，４，５が穿孔される。これらのパンチ穴３，４，５は、主走査方向に沿う一辺に沿って穿孔され、たとえば、中央のパンチ穴４は円形であり、両端のパンチ穴３，５は、長穴状になっている。これらのパンチ穴３，４，５は、回転ドラムに関連して設けられたパンチ機構によって穿孔されるようになっている。
【０００６】
【発明が解決しようとする課題】
ところが、一般に、回転ドラムに関連して設けられたパンチ機構は、回転ドラムの回転方向に沿ってパンチ孔が配列されるように穿孔する構成となっている。そのため、ライン２は、パンチ穴３，４，５に対して傾斜した状態となっており、結局、パンチ穴３，４，５の配列方向と感材１に記録された画像とは互いに傾斜した状態となっている。したがって、焼き付け時などの位置合わせが複雑であるという問題があった。
【０００７】
しかも、記録ヘッドの送り速度は、記録すべき画像の解像度に依存して制御されるようになっているので、ライン２の傾斜角は、解像度に依存する。したがって、パンチ穴３，４，５を、副走査方向に直交する方向に対して一定の傾斜角で配列されるように穿孔したとしても、このように形成されたパンチ穴３，４，５は、ある一定の解像度で記録された画像に対してのみ適切な位置関係を有することができるにすぎない。
【０００８】
そこで、本発明の目的は、上述の技術的課題を解決し、画像出力位置に対応した適切な位置にパンチ穴を穿孔することができる構成を備えた画像出力装置を提供することである。
【０００９】
【課題を解決するための手段および発明の効果】
上記の目的を達成するための請求項１記載の発明は、回転ドラムに担持された感材をスパイラル状に走査して画像を記録する画像出力装置において、上記回転ドラムに担持された感材にパンチ穴を穿孔するパンチ機構と、このパンチ機構を上記回転ドラムの回転軸線方向に沿って移動させるためのパンチ機構移動手段と、上記感材に記録される画像の傾斜角に応じて複数のパンチ穴が矩形の画像出力領域の一辺に平行に配列されて上記感材に穿孔されるように上記パンチ機構移動手段を制御することによって、上記パンチ機構が感材に穿孔するパンチ穴の上記回転ドラムの軸線方向に関する位置を制御する穿孔位置制御手段とを含むことを特徴とする画像出力装置である。
【００１０】
この構成によれば、スパイラル露光によって感材に画像が傾斜した状態で記録される場合に、その画像の傾斜角に応じて、パンチ機構が回転ドラムの軸線方向に移動される。これにより、画像の傾斜角に応じた位置にパンチ穴が穿孔されることになる。したがって、画像が傾斜して記録される場合であっても、画像出力位置に対してほぼ一定の相対位置にパンチ穴を穿孔することができる。
【００１１】
なお、上記画像出力装置は、スパイラル露光に起因する画像の歪みを補正する歪み補正処理手段を有していることが好ましい。
また、画像出力装置は、複数の走査ラインの露光を並行して行うために複数の記録ビーム光を回転ドラムに向けて発生するマルチビーム型の記録ヘッドを有するものであってもよい。
【００１２】
請求項２記載の発明は、感材に記録すべき画像の解像度情報を入力する解像度入力手段をさらに含み、上記穿孔位置制御手段は、上記解像度入力手段から入力された解像度情報に基づいて、上記パンチ穴の上記回転ドラムの回転軸線方向に関する位置を制御するものであることを特徴とする請求項１記載の画像出力装置である。
【００１３】
スパイラル露光により画像を記録する場合、走査ラインの傾斜角は画像の解像度に依存することになる。そこで、解像度入力手段から入力された解像度情報に基づいてパンチ機構移動手段を制御すれば、画像の傾斜角に応じた位置にパンチ穴を穿孔できる。
なお、上記解像度入力手段は、操作パネルのような手動入力手段であってもよく、また、コンピュータなどのように自動的に解像度情報を生成する装置であってもよい。
【００１４】
また、請求項１または請求項２記載の構成に加えて、パンチ穴を穿孔する際の回転ドラムの回転位置を制御する回転位置制御手段がさらに備えられていることが好ましい。この場合に、回転位置制御手段は、上記解像度情報に基づいて回転ドラムの回転位置を制御するものであることが好ましい。
この構成により、パンチ穴の穿孔位置を回転ドラムの回転軸線方向のみならず、回転ドラムの回転方向に関しても調整することができる。したがって、傾斜した状態で感材上に形成された画像に対して適切な位置にパンチ穴を穿孔することができる。
請求項３記載の発明は、回転ドラムに担持された感材をスパイラル状に走査して当該感材に画像を記録する画像出力装置において、上記回転ドラムに担持された感材に記録すべき画像の解像度情報を入力する解像度入力手段と、この解像度入力手段から入力された解像度情報に応じた速度で上記回転ドラムの軸線方向に沿って連続的に移動しつつ、画像データに基づいて変調された複数本の記録ビーム光を並行して上記感材に向けて発生することにより、当該感材上において、上記回転ドラムの軸線方向に対して傾斜した状態の矩形の画像出力領域に画像を記録する記録ヘッドと、上記感材にパンチ穴を穿孔するパンチ機構と、上記解像度入力手段から入力された解像度情報に基づいて、上記感材に記録される画像の傾斜角に応じて複数のパンチ穴が上記矩形の画像出力領域の一辺に平行に配列されて上記感材に穿孔されるような穿孔位置に上記パンチ穴が形成されるように上記パンチ機構を制御する穿孔位置制御手段とを含むことを特徴とする画像出力装置である。
【００１５】
【発明の実施の形態】
以下では、本発明の実施の形態を、添付図面を参照して詳細に説明する。
図１は、この発明の一実施形態に係る画像出力装置の基本的な構成を示す概念図である。この画像出力装置は、円筒状の回転ドラム１０の外周面に巻き付けられて担持された感材Ｆを記録ヘッド１１によってスパイラル露光することにより、感材Ｆに潜像を形成するための装置である。潜像が形成された感材Ｆは、適切な現像プロセスを経て、印刷原版となる。
【００１６】
回転ドラム１０は、ステッピングモータからなる主走査モータＭ１によって、その軸線（回転軸線）まわりに高速に回転される。この回転に関する情報は、エンコーダ１２によって検出されるようになっている。
記録ヘッド１１は、回転ドラム１０の外周面に対向するように設けられており、回転ドラム１０の軸線方向Ａ１に沿って配置されたボールねじ１３と結合した移動台１４に搭載されている。ボールねじ１３は、ステッピングモータからなる副走査モータＭ２によって駆動されるようになっており、これにより、記録ヘッド１１は、回転ドラム１０の軸線方向Ａ１に沿って直線移動することになる。
【００１７】
記録ヘッド１１は、たとえば、複数の発光ダイオード（ＬＥＤ）を備えており、複数のラインの描画を並行して行うための複数本の記録ビーム光を回転ドラム１０に向けて発生するマルチビーム型に構成されている。各発光ダイオードを駆動するための駆動信号は、制御装置２０から与えられるようになっている。
この構成により、回転ドラム１０が高速に回転される一方で、記録ヘッド１１が回転ドラム１０の軸線方向Ａ１に沿って低速に移動していき、記録ヘッド１１から発生する記録ビーム光は、感材Ｆの表面をスパイラル状に走査しつつ、画像を記録していく。
【００１８】
制御装置２０には、エンコーダ１２の出力信号が入力されている。このエンコーダ１２の出力信号は、記録ヘッド１１による露光開始タイミングを制御するヘッド制御部２１、副走査モータＭ２を駆動するドライバ１６の動作を制御する横送り制御部２２、および主走査モータＭ１を駆動するドライバ１５の動作を制御するサーボ機構２３において利用される。ヘッド制御部２１は、エンコーダ１２の出力信号に基づき、回転ドラム１０の回転位置が所定位置になると、各ラインの露光動作を開始させる。また、横送り制御部２２は、回転ドラム１０の回転と同期して記録ヘッド１１が移動されるように、ドライバ１６を制御する。さらに、サーボ機構２３は、回転ドラム１０が一定速度で回転するように、ドライバ１５をフィードバック制御する。
【００１９】
制御装置２０には、コンピュータなどからなるラスタ・イメージ・プロセッサ（ＲＩＰ）３０から適当なインタフェース（Ｉ／Ｆ）を介して入力される画像データを処理するための画像処理部２５と、この画像処理部２５によって処理された画像データに基づいて記録ヘッド１１の発光ダイオードを制御する発光ダイオードドライバ２６と、スパイラル描画により生じる画像の歪み（図６参照）を補正するための歪み補正部２７（歪み補正処理手段）とが備えられている。また、制御装置２０には、入出力（Ｉ／Ｏ）インタフェース部を備えたＣＰＵ２８が備えられていて、このＣＰＵ２８には、操作パネル３５が接続されている。
【００２０】
印刷時や焼き付け時の位置合わせのためのパンチ穴を感材Ｆに穿孔するために、回転ドラム１の一端付近には、一対のパンチ機構４１，４２が備えられている。この一対のパンチ機構４１，４２は、ボールねじ４３，４４にそれぞれ結合されていて、これらのボールねじ４３，４４をそれぞれ駆動するモータＭ３，Ｍ４によって、回転ドラム１の軸線方向Ａ１に沿って移動されるようになっている。これにより、各パンチ機構４１，４２は、パンチ穴の穿孔位置を、回転ドラム１の軸線方向Ａ１に関して変化させることができる。すなわち、モータＭ３，Ｍ４およびボールねじ４３，４４などが、パンチ機構移動手段に相当する。
【００２１】
モータＭ３およびＭ４を駆動するドライバ１７，１８の動作を制御するために、制御装置２０には、パンチ機構横送り制御部４５が備えられている。また、制御装置２０には、パンチ機構４１，４２の穿孔動作を制御するためのパンチ動作制御部４６が設けられている。
図２は、パンチ機構４１，４２の取り付け構造を説明するための断面図である。回転ドラム１０の両端面には、その軸線に沿って回転軸１０ａ，１０ｂがそれぞれ取り付けられている。この回転軸１０ａ，１０ｂは、本体フレーム５１の相対向する側壁にそれぞれ取り付けられた軸受け５２に軸支されている。
【００２２】
本体フレーム５１の上部付近において、回転ドラム１０の一端に対向する位置には、パンチ機構４１，４２が回転ドラム１１の回転方向に沿って併置されている（図２においては、手前側のパンチ機構のみを示す。）。回転ドラム１０の端縁部１０Ａは、回転ドラム１０の一端部において筒状に突出しており、周方向に間隔を開けた所定位置（この実施形態では３箇所）には、感材Ｆにパンチ穴を穿孔する際にパンチ機構４１，４２の配置を許容するための切り欠き部５６が形成されている（図１参照）。
【００２３】
パンチ機構４１，４２は、本体部６０と、この本体部６０のパンチ取り付け部６４に取り付けられたパンチ部６１と、本体部６０に一体的に形成されたダイ部６２とを有している。パンチ部６１は、パンチ６５と、このパンチ６５を進退させるパンチソレノイド６６とを有している。本体部６０のパンチ取り付け部６４において、パンチ６５に対応する位置には、パンチ６５を通過させるための通過孔６３が形成されている。そして、ダイ部６２において通過孔６３に対向する位置には、パンチ６５を受け入れるダイ孔６７が形成されている。
【００２４】
ダイ部６２とパンチ取り付け部６４との間には、感材Ｆの縁部を受け入れることができる隙間６８が形成されている。この隙間６８に感材Ｆの縁部を差し込んだ状態でパンチソレノイド６６を励磁すると、パンチ６５が上方に向けて付勢され、ダイ部６２と協働して、感材Ｆにパンチ穴を穿孔する。パンチソレノイド６６が消磁されれば、図示しないばねによって、パンチ６５は下方位置に戻される。このパンチソレノイド６６の励磁／消磁を制御するのが、パンチ動作制御部４６（図１参照）である。
【００２５】
パンチ６５の形状は、パンチ機構４１に対応するものが断面円形の軸状体となっており、パンチ機構４２に対応するものは、断面が長円形の軸状体となっている。
本体部６０は、本体フレーム５１に取り付けられたレール７０に沿って、回転ドラム１０の軸線方向Ａ１に移動可能とされている。この本体部６０には、ボールねじ４３，４４が螺合しており、このボールねじ４３，４４がモータＭ３，Ｍ４によって回転駆動されることにより、本体部６０が回転ドラム１０の軸線方向Ａ１に沿って移動するようになっている。これにより、パンチ６５による穿孔位置が、軸線方向Ａ１に沿って可変とされている。
【００２６】
図３は、感材Ｆにパンチ穴を穿孔した状態を示す図解図である。感材Ｆには、回転ドラム１０の軸線方向Ａ１に対して傾斜した状態の矩形の画像出力領域８０に画像が記録されている。この画像出力領域８０の回転ドラム１０の端面に沿う辺８１に平行に３つのパンチ穴Ｐ１，Ｐ２，Ｐ３が配列されて穿孔されている。中央のパンチ穴Ｐ２は円形であり、両側のパンチ穴Ｐ１，Ｐ３は、長円形である。つまり、中央のパンチ穴Ｐ２は、パンチ機構４１によって穿孔されたものであり、両側のパンチ穴Ｐ１，Ｐ３は、パンチ機構４２によって穿孔されたものである。
【００２７】
長円形のパンチ穴Ｐ１，Ｐ２の長手方向が回転ドラム１０の回転方向Ｒ１と平行であることから理解されるとおり、パンチ機構４１，４２は、その穿孔位置は回転ドラム１０の軸線方向Ａ１に沿って可変であるように構成されているが、パンチ穴の方向を回転させる機構は備えていない。
印刷時や焼き付け時の位置決めの際には、パンチ穴Ｐ１，Ｐ３には断面が長円形の位置決めピンが挿入され、パンチ穴Ｐ２には、断面円形の位置決めピンが挿入される。このとき、長円形のパンチ穴Ｐ１，Ｐ３は、位置決めピンからストレスを受けることになるが、実際には、画像出力領域８０の回転方向Ｒ１に対する傾斜角θは十分に小さいので、このストレスが問題となるおそれはない。
【００２８】
図４は、長円形のパンチ穴Ｐ１に、長円形断面の位置決めピン９０を挿入した状態を示す図解図である。位置決めピン９０のパンチ穴Ｐ１からのはみ出し長Δは、位置決めピン９０の直線部（平面視における直線部）９１の長さｈと、パンチ穴Ｐ１〜Ｐ３の回転方向Ｒ１に対する傾斜角θとにより、下記第(1) 式で与えられる。
【００２９】
Δ＝ｈ・ｔａｎθ                        ・・・・・・ (1)
一方、ｔａｎθは、たとえば、走査幅（記録ヘッド１１が一回の走査で記録する画像の幅。複数ラインの記録を平行して行う場合には、そのライン数に比例する。）を２mmとし、回転ドラム１０の径を４００mmとすると、下記第(2) 式のようになる。
【００３０】
ｔａｎθ＝２／４００π＝０．００１５９  ・・・・・・ (2)
したがって、たとえば、ｈが５mm程度であるとすれば、
Δ＝0.00795mm ≒８μｍ                  ・・・・・・ (3)
となる。はみ出し長Δがこの程度の値であれば、感材Ｆに大きなストレスが与えられるおそれはない。
【００３１】
図５は、パンチ穴の形成位置を定めるための原理を説明するための図解図である。たとえば、長方形領域ＯＰが角度θ1 だけ時計回り方向に回転された状態で感材Ｆに記録されたとする。図５には、回転されていない状態の長方形領域ＯＰの位置である基準位置ＯＰref が併せて表されている。この基準位置ＯＰref の長方形の左辺は、傾斜を生じさせることなく画像が感材Ｆに形成された場合（すなわち、ステップ露光の場合）におけるパンチ穴Ｐ１〜Ｐ３の形成位置を通る線分となっている。
【００３２】
基準位置ＯＰref の右上端を原点（０，０）とし、長方形領域ＯＰの横の長さをａとする。画像領域８０の縦の長さ２πｒは、回転ドラム１０の直径をＲとし、感材Ｆの厚さをｄとすると、２πｒ＝２π（Ｒ＋２ｄ）により与えられる。そこで、基準位置ＯＰref の左辺上の一点（ａ，ｂ）（パンチ穴の穿孔位置）が角度θ1 の回転によって点（Ａ，Ｂ）に移動するとすると、下記第(4) 式ないし第(7) 式が成立する。
【００３３】
【数１】
0004009351.tif 000002
【００３４】
ただし、θ2 は、基準位置ＯＰref の右辺と、原点（０，０）と点（ａ，ｂ）とを結ぶ直線とがなす角を表し、ｎは、記録ヘッド１１から発生される記録ビームの本数を表し、ｐは、指定された解像度における副走査方向のビームピッチを表す。
よって、ラスタ・イメージ・プロセッサ３０や操作パネル３５から解像度の情報を制御装置２０に与えることにより、画像の傾斜角に応じたパンチ穴Ｐ１，Ｐ２，Ｐ３の穿孔位置が求まることになる。
【００３５】
そこで、この実施形態においては、ＣＰＵ２８は、上記解像度情報を得てパンチ穴Ｐ１，Ｐ２，ｂ３の穿孔位置を演算する。この演算結果は、サーボ機構２３およびパンチ機構横送り制御部４５に与えられる。サーボ機構は２３は、指令された穿孔位置に基づいてドライバ１５を介して主走査モータＭ１の動作を制御し、回転ドラム１０の回転位置を制御する。また、パンチ機構横送り制御部４５は、指令された穿孔位置に基づいて、ドライバ１７，１８を介してモータＭ３，Ｍ４を制御する。これにより、パンチ機構４１，４２の軸線方向Ａ１に関する位置が制御される。こうして回転ドラム１０およびパンチ機構４１，４２の位置決めが行われた後にパンチ動作制御部４６によってパンチ機構４１，４２の穿孔動作が制御されることにより、感材Ｆの適切な位置にパンチ穴Ｐ１〜Ｐ３が穿孔されることになる。なお、パンチ穴Ｐ１〜Ｐ３は、同時に穿孔されるのではなく、回転ドラム１０の回転位置およびパンチ機構４１，４２の軸線方向Ａに関する位置を随時調整して、１つずつ順次穿孔される。
【００３６】
上記のように、この実施形態においては、ＣＰＵ２８およびパンチ機構横送り制御部４５などが穿孔位置制御手段に相当している。また、ＣＰＵ２８およびサーボ機構２３などが、回転位置制御手段に相当している。
この発明の一実施形態について説明したが、この発明は、上記以外の形態でも実施することが可能である。たとえば、上記の実施形態では、３つのパンチ穴が穿孔されているが、穿孔されるべきパンチ穴の個数は任意である。また、上記の実施形態では、回転ドラム１０の端縁部１０Ａに切り欠き部５６が形成されているが、このような切り欠き部を形成せず、感材Ｆの縁部が回転ドラム１０の一端からはみ出るように感材Ｆを回転ドラム１０に装着するようにしてもよい。また、上記の実施形態では、記録ヘッド１１は、複数本の記録ビーム光を発生することができるマルチビーム型のものとなっているが、１本の記録ビーム光を発生する記録ヘッドを有する装置にもこの発明を適用することができる。
【００３７】
その他、特許請求の範囲に記載された事項の範囲で種々の設計変更を施すことが可能である。
【図面の簡単な説明】
【図１】この発明の一実施形態に係る画像出力装置の基本的な構成を示す概念図である。
【図２】パンチ機構の取り付け構造を説明するための断面図である。
【図３】感材にパンチ穴が形成された状態を示す平面図である。
【図４】パンチ穴に位置決めピンが挿入された状態を示す図である。
【図５】パンチ穴の穿孔位置の算出原理を説明するための図である。
【図６】スパイラル露光による画像形成時の歪み補正処理を説明するための図である。
【符号の説明】
１０  回転ドラム
１１  記録ヘッド
２０  制御装置
２１  ヘッド制御部
２２  横送り制御部
２３  サーボ機構
２５  画像処理部
２７  歪み補正部
２８  ＣＰＵ
３０  ラスタ・イメージ・プロセッサ
３５  操作パネル
Ｍ１  主走査モータ
Ｍ２  副走査モータ
Ｍ３，Ｍ４  パンチ機構移動用モータ
４１，４２  パンチ機構
４５  パンチ機構横送り制御部
４６  パンチ動作制御部
【図１】
0004009351.tif 000003
【図２】
0004009351.tif 000004
【図３】
0004009351.tif 000005
【図４】
0004009351.tif 000006
【図５】
0004009351.tif 000007
【図６】
0004009351.tif 000008